(57)【特許請求の範囲】
【請求項１】
吸気口と排気口とを有し、ヘルメットの両側に取り付けられる手のひらサイズの一対のエアーポンプと、一対のエアーポンプの各排気口に繋がりヘルメット内に延びる一対の送風チューブとを備え、
前記一対の送風チューブは、チューブ先端に設けられたエアー噴出口がヘルメット内の対向する位置においてヘルメットの内側面に沿った一方向に向けて配置され、ヘルメット内に同一回転方向によるエアーの流れを発生させることを特徴とするヘルメット用送風ユニット。
【請求項２】
前記一対の送風チューブのエアー噴出口がヘルメット内の対向する前部と後部とに配置される請求項１に記載のヘルメット用送風ユニット。
【請求項３】
前記一対の送風チューブの側面には複数の小孔からなるエアー噴出口が設けられ、これらのエアー噴出口がヘルメット内の対向する位置において、互いにヘルメットの中心に向かうように配置される請求項１又は２に記載のヘルメット用送風ユニット。
【請求項４】
前記吸気口及び排気口はそれぞれ開閉弁を備え、エアーポンプは押圧した時には吸気口の開閉弁が閉じ、排気口の開閉弁が開くことによってエアーポンプ内のエアーが排気口から送風チューブ内に押し出され、エアー噴出口から排出される一方、
押圧を解除した時には吸気口の開閉弁が開き、排気口の開閉弁が閉じることによって吸気口からエアーポンプ内に外気が吸い込まれる請求項１に記載のヘルメット用送風ユニット。
【請求項５】
前記送風チューブは、屈曲可能な柔軟性を有した樹脂管によって形成される請求項１乃至３のいずれかに記載のヘルメット用送風ユニット。
【請求項６】
前記エアーポンプは、ヘルメットに取り付けられる固定手段を有している請求項１又は４に記載のヘルメット用送風ユニット。
【発明の詳細な説明】
【技術分野】
【０００１】
本発明は、着脱が可能で簡易に涼感を得ることのできるヘルメット用送風ユニットに関するものである。
【背景技術】
【０００２】
従来、夏場においてもヘルメットや帽子の着用が義務付けられている人にとっては、頭部にこもる熱や人体から発する汗などによる湿気によって不快を感じることが多い。このため、作業等に支障をきたす場合があり、ときによっては、熱中症を引き起こす原因となっている。特に、建設現場や工場等の危険を伴う場所で作業する人が着用するヘルメットにあっては、落下物や飛来物から頭部を保護することのできる強固な材質によってヘルメット自体が形成されているため、通気性が悪く、より不快感を感じる。また、アゴひもやヘッドバンドなどの着装体によって頭部にしっかり固定させるため、作業中はヘルメットを外すことができないので簡単に涼をとれないといった不自由さがあった。
【０００３】
このような問題を改善するため、冷却材をヘルメットの内部に装着したり、ヘルメット自体に通気孔やファンを取り付けたりするなどの提案がなされている。特許文献１には、ヘルメット内部に空気送給ホースを挿入し、この空気送給ホースに外部から空気送給ポンプで空気を送り出すことによって、頭部への通風性を良くしたヘルメットが開示されている。また、特許文献２には、ヘルメット本体に通気孔を設け、この通気孔を通して外気をヘルメットの内部に取り入れることで、頭部にこもる熱を解消させるための工夫がなされている。
【先行技術文献】
【特許文献】
【０００４】
【特許文献１】実用新案登録第３１０４１２６号公報
【特許文献２】実用新案登録第３１１３２８０号公報
【発明の概要】
【発明が解決しようとする課題】
【０００５】
ところで、上記ヘルメットに関しては、使用目的や使用環境等に応じて各種の安全基準が設けられ、この安全基準に合格したものでなければならない。このため、特許文献２のような通気孔やファンなどの装置をヘルメット自体に設けることは、安全基準を満たしたヘルメットに改造を加えることとなり、実際の現場では使用することができない。また、ヘルメットに取り付ける装置が硬質性の材料で構成されている場合には、落下物等の衝撃によって頭部や顔面を損傷するといったおそれがあった。
【０００６】
特許文献１に開示されているヘルメットに関しては、外部に設けたポンプに送風チューブを繋ぎ、この送風チューブのエアー噴出口をヘルメット内に挿入する簡易な構造であるため、ヘルメット自体を大きく改造するものではない。しかしながら、前記ポンプや送風チューブが一体化されていないため、取り扱う上で難がある。また、送風チューブ１本でヘルメット内に風を送るため、頭部全体の涼感が得られないといった問題がある。
【０００７】
そこで、本発明の目的は、柔軟性を有した材料で構成され、ヘルメットに簡単に取り付けることができると共に、外部から取り入れた空気をヘルメットの内部で渦巻状の対流を発生させて、ヘルメット内の熱や湿気を含んだ空気を外部に押し出すことで、安全且つ快適な涼感を得ることができるヘルメット用送風ユニットを提供することである。
【課題を解決するための手段】
【０００８】
上記課題を解決するために、本発明のヘルメット用送風ユニットは、吸気口と排気口とを有し、ヘルメットの両側に取り付けられる手のひらサイズの一対のエアーポンプと、一対のエアーポンプの各排気口に繋がりヘルメット内に延びる一対の送風チューブとを備え、前記一対の送風チューブは、チューブ先端に設けられたエアー噴出口がヘルメット内の対向する位置においてヘルメットの内側面に沿った一方向に向けて配置され、ヘルメット内に同一回転方向によるエアーの流れを発生させることを特徴とする。
【発明の効果】
【０００９】
本発明のヘルメット用送風ユニットによれば、手のひらサイズのエアーポンプとこのエアーポンプから延びる送風チューブとによってコンパクトに構成されているので、どのようなヘルメットにも簡単に取り付けることが可能であり、暑さを感じたときにエアーポンプを適宜押圧することで素早く外気をヘルメット内に取り入れることができる。また、前記エアーポンプから延びる送風チューブを自由に引き回すことができるので、エアー噴出口をヘルメット内の任意の位置に設定することができる。さらに、前記エアー噴出口から噴出されるエアーの圧力によって、ヘルメット内部に渦巻状の対流を発生させ、ヘルメット内部にこもった熱や湿気を含んだ空気を外部に効率よく排出することができる。
【００１０】
また、前記エアーポンプには、外気を取り入れる吸気口と、送風チューブが繋がる排気口とを備え、吸気口と排気口にそれぞれ開閉弁を設けているので、エアーポンプを手で押圧するごとに、吸気口から取り入れた外気を排気口に向けて一方向に送り出すことができる。これによって、エアーポンプ側に逆流することなく、送風チューブを通して常に新鮮な外気をヘルメット内に取り入れることができる。
【図面の簡単な説明】
【００１１】
【図１】本発明に係るヘルメット用送風ユニットの取付状態を示す斜視図である。
【図２】上記送風ユニットを取り付けたヘルメットの側面図である。
【図３】上記送風ユニットを取り付けたヘルメットの正面図である。
【図４】上記送風ユニットの使用状態を示す正面図である。
【図５】上記送風ユニットのエアーポンプの内部を示す断面図である。
【図６】第１実施形態の送風ユニットを取り付けたヘルメットの内部を示す平面図である。
【図７】第２実施形態の送風ユニットを取り付けたヘルメットの内部を示す平面図である。
【図８】第３実施形態の送風ユニットを取り付けたヘルメットの内部を示す平面図である。
【発明を実施するための形態】
【００１２】
以下、添付図面に基づいて、本発明に係るヘルメット用送風ユニットの実施形態を詳細に説明する。図１はヘルメット１２と、このヘルメット１２に取り付けられる一対の送風ユニット１１を示したものである。この第１実施形態の送風ユニット１１は、手のひらサイズのエアーポンプ１３と、このエアーポンプ１３から延びる送風チューブ１４とで構成されている。前記エアーポンプ１３は、内部が空洞の伸縮性のゴム部材によって風船状に形成されており、一方に吸気口１５、他方に排気口１６を備える。前記送風チューブ１４は、前記排気口１６から所定の長さを有して延びる柔軟性を有したやわらかな材料からなる樹脂管やゴム管等によって形成され、エアーの流れを阻害しない範囲で自由に屈曲させることができる。このように、送風ユニット１１の取り付けに際して、ヘルメット１２自体を加工あるいは改造するものではないため、各種の安全基準を満たすと共に、送風ユニット１１全体が柔軟性を有した材料でできているため、頭部などに損傷を与えるようなおそれもない。
【００１３】
前記送風ユニット１１は、図１に示したように、前記エアーポンプ１３の側面に設けられる両面テープや面ファスナー等の固定手段（接着部材）１８を介して前記ヘルメット１２の外側面の所定箇所に着脱可能に固定することができる。このため、夏場の暑いときには簡単に取り付けることができ、冬場などの使用しない期間には取り外すことで通常のヘルメットとして使用することができる。また、前記一対のエアーポンプ１３をヘアバンドのようなヘルメット１２の外周面に沿って装着可能な連結部材を介して連結形成することもできる。このような構成であれば、接着部材を介することなくヘルメット１２に簡易に取り付けたり外したりすることができる。前記送風チューブ１４は、図２に示すように、ヘルメット１２の縁部１９から内周面２３に沿うように引き回し、エアー噴出口２０をヘルメット１２の内側面に向けてセットする。なお、前記送風チューブ１４は、ヘルメット１２の内周面に沿わせて自由に配置することができ、前記エアー噴出口２０が所定の方向を向くように、テープ部材や接着剤等によって適宜の場所に固定することができる。
【００１４】
図３に示すように、本実施形態では、一対の送風ユニット１１をヘルメット１２の左右側面に対向するように取り付けている。このため、図４に示すように、ヘルメット１２を装着した人が両手で左右のエアーポンプ１３を凹ませるように押圧させることによって、エアーポンプ１３内に溜まっているエアーを送風チューブ１４に向けて一方向に送り出すことができる。
【００１５】
図５は前記送風ユニット１１の内部構造及びその作用を示したものである。図５（ａ）に示したように、送風前の通常の状態では、吸気口１５の開閉弁１５ａが開き、空洞部１７に吸気口１５からの外気が満たされてエアーポンプ１３が風船状に膨らんだ状態となっている。このとき、排気口１６の開閉弁１６ａは閉じたままであるので、送風チューブ１４にはエアーが送られない。この状態から、図５（ｂ）に示したように、前記エアーポンプ１３を手で押圧して凹ますことによって、排気口１６の開閉弁１６ａが開き、空洞部１７に溜まっているエアーが送風チューブ１４に向けて押し出される。一方、吸気口１５の開閉弁１５ａは閉じているので、外部にエアーが漏れることがない。また、この状態からエアーポンプ１３の押圧を解放すると、再び吸気口１５から空洞部１７に外気が満たされてエアーポンプ１３が風船状に膨らんだ状態となるため、逆流することなく、常に外気を送風チューブ１４に向けて一方向に送り出すことができる。
【００１６】
前記送風チューブ１４は、取り付けるヘルメット１２の種類やサイズ等に応じて、適宜の長さに形成することができると共に、適宜に屈曲させることで、エアー噴出口２０の角度が調整できるようになっている。また、エアー噴出口２０における風量を多くしたい場合は、前記エアーポンプ１３の排気口１６から次第に太くすることもできる。
【００１７】
図４に示したように、一対のエアーポンプ１３を左右方向から略同時に押圧する動作を繰り返し行うことで、ヘルメット１２の内側面に向けて勢いよくエアーを一気に送り出すことができる。前記ヘルメット１２の内部では、図６に示すように、一対の送風チューブ１４のエアー噴出口２０が対向する位置にセットされているため、各エアーポンプ１３から送られてくるエアーをヘルメット１２の内側面に沿って均等に拡散させることができる。これによって、頭部全体にエアーを均等に当てることができる。また、一対のエアーポンプ１３を左右方向から押圧する際、ヘルメット１２自体を頭部に密着させる力がかかるので、頭部からずれることなく、安定した装着状態を維持することができる。このため、安全性が特に重視される工事用のヘルメットにも問題なく取り付けることができる。
【００１８】
また、工事用のヘルメットの場合は、内側面に頭部を保護するハンモックと呼ばれる緩衝部材やアゴひもなどの装着体を設けている場合が多い。このような装着体を有したものであれば、この装着体に沿って前記送風チューブ１４を配設することができるので、エアー噴出口２０を所定の箇所まで延ばしたり、角度を調整したりすることが容易となる。
【００１９】
図７は第２実施形態の送風ユニット２１の配設例を示したものである。この実施形態では、ヘルメット１２の外周面に一対のエアーポンプ１３が固定され、各エアーポンプ１３から延びる一対の送風チューブ１４がヘルメット１２の背面側から内側面に沿うように配設されている。
【００２０】
前記一対の送風チューブ１４はそれぞれ長さが異なり、一方がヘルメット１２の後方側にエアー噴出口２０が向くように、他方がヘルメット１２の前方側にエアー噴出口２０が向くように縁部１９から内周面２３に沿って配設されている。また、それぞれのエアー噴出口２０は、時計回りあるいは反時計まわりとなるように、いずれか一方向に向けられる。このため、一対のエアーポンプ１３から送り出されるエアーによって、ヘルメット１２の内側面に渦巻状の対流２２を発生させることができる。さらに、この対流２２によって、ヘルメット１２の内部にこもった熱や湿気を含んだ空気を効率よく外部に放出しつつ、外部の新鮮な空気を順次ヘルメット１２内に取り入れることができる。
【００２１】
図８は第３実施形態の送風ユニット３１の配設例を示したものである。この実施形態では、前記第２実施形態と同様に、ヘルメット１２の外周面に一対のエアーポンプ１３が固定され、各エアーポンプ１３から延びる一対の送風チューブ１４ａ，１４ｂがヘルメット１２の背面側から内側面に沿うように配設されている。ここでは、一方の送風チューブ１４ａがヘルメット１２の後方側から前方側に延びており、他方の送風チューブ１４ｂがヘルメット１２の縁部１９を略一周するようにして同一方向に延びている。また、前記一対の送風チューブ１４ａ，１４ｂには、側面に複数の小孔３２が開設されている。前記複数の小孔３２は、それぞれがヘルメット１２の中心部に向かうように開設される。このような小孔３２を送風チューブ１４に所定の間隔で複数設けることによって、シャワー効果を伴う渦巻状の対流２２が得られるので、ヘルメット１２を装着した頭部全体に直接エアーを噴出させることができ、さらなる涼感のアップが図られる。
【００２２】
なお、本発明の送風ユニットは、建設現場や工場等で使用されるヘルメットに使用するのに適しているが、簡易な固定手段によって着脱が可能であることから、上述したようなヘルメットに限らず、日常で使用されるキャップやハットなどの通常の帽体にも適用することができる。
【符号の説明】
【００２３】
１１  送風ユニット
１２  ヘルメット
１３  エアーポンプ
１４  送風チューブ
１５  吸気口
１５ａ  開閉弁
１６  排気口
１６ａ  開閉弁
１７  空洞部
１８  接着部材
１９  縁部
２０  エアー噴出口
２１  送風ユニット
２２  対流
２３  内周面
３１  送風ユニット
３２  小孔
【図１】
0006023964.tif 000002
【図２】
0006023964.tif 000003
【図３】
0006023964.tif 000004
【図４】
0006023964.tif 000005
【図５】
0006023964.tif 000006
【図６】
0006023964.tif 000007
【図７】
0006023964.tif 000008
【図８】
0006023964.tif 000009